Podtech/llm-jp-corpus-v4-ja_patent huggingface dataset:
(57)【特許請求の範囲】
【請求項１】
圧力制御装置であって、閉鎖部材が設けられており、該閉鎖部材には弁ばねが支持されていて、該弁ばねは他方の端部で、ばねポットの上端面に当接しており、弁ばねの緊締力を補正するための手段が設けられており、特に車両の吸気系の燃料噴射装置のために使用される形式のものにおいて、
ばねポット（８）は周面部分（９）とカバー（１０）とから成っていて、カバー（１０）が所望のばね力を規定する位置で、周面部分（９）の周面（１５）に結合されていて、周面部分（９）の周面（１５）が、カバー（１０）の縁部（１１）に係合する複数の押込み部分（１２，１３）を有していて、押込み部分（１２，１３）が個別の舌片（１６）を有していて、この舌片（１６）が、Ｕ字形の切り込み部（１７）によって周面（１５）に形成され、この切り込み部（１７）によって制限された材料を、カバー（１０）の縁部（１１）に押し込むことにより形成されていることを特徴とする圧力制御装置。
【請求項２】
カバー（１０）が周面部分（９）に挿入されていて、折り曲げられた縁部（１１）で内側から周面（１５）に接触している、請求項１記載の圧力制御装置。
【発明の詳細な説明】
【０００１】
本発明は、圧力制御装置であって、閉鎖部材が設けられており、該閉鎖部材には弁ばねが支持されていて、該弁ばねは他方の端部で、ばねポットの上端面に当接しており、弁ばねの緊締力を補正するための手段が設けられており、特に車両の吸気系の燃料噴射装置のために使用される形式のものに関する。
【０００２】
上記の形式の圧力制御装置は、例えば今日の自動車に組み込まれていて一般に公知である。多くの使用例のために、圧力制御装置の閉鎖部材の開放力が、ひいては、圧力制御装置によって制御される圧力ができるだけ正確であって、不可避な製造誤差にも関わらず常に存在している必用がある。このために製造の終了時には補正過程が行われる。この場合、どの程度の圧力で、圧力制御装置が開放するかがチェックされ、圧力点を調節するためには、ばねポットの端面を、ある程度大きくばねポット内に押し込み、これにより弁ばねを幾分緊張させる。
【０００３】
しかしながら、このような制御装置は、手間をかけ、比較的大きな不正確さでしか補正することができない。この理由は第一に、ばねポットの端面側の押込みは押込み後に強制的に、材料弾性に基づく値だけばね弾性的に戻されることにある。従って押込みの際には、補正点を幾分過剰に押し込まねばならず、ばね弾性的に戻された後、正確な開放圧が生じることを期待しなければならない。この場合、押込みが偶然に、所望したよりも小さくばね弾性的に戻り、これにより高すぎる開放圧に調節されてしまうことは避けられない。このような誤差は引き続き行われる後補正によってはもはや解消されない。
【０００４】
本発明の課題は、冒頭で述べた形式の圧力制御装置を改良して、できるだけ正確な補正ができるものを提供することである。
【０００５】
この課題を解決するために本発明の構成では、ばねポットは周面部分とカバーとから成っていて、カバーが所望のばね力を規定する位置で、周面部分の周面に結合されているようにした。
【０００６】
このような構成により、補正の際には、カバーを軸方向で周面部分に対して摺動させ、所望のばね力を調節してから初めて、カバーを周面に結合させることができる。周面部分の周面に沿ってこのような摺動が行われるので、カバーがばね的に戻されることはなく、ばね力を極めて正確に調節できる。
【０００７】
カバーは、周面部分に被せる構成部分として、または周面部分を橋絡する構成部分として形成することができる。カバーは周面部分に挿入されていて、折り曲げられた縁部で内側から周面に接触するならば、特に簡単に構成できる。
【０００８】
カバーは、種々様々な形式で周面部分に結合することができる。例えば、周面部分に半径方向で進入するねじ、またはリベット、または溶接、またはろう接、または接着によって結合することができる。本発明の別の有利な構成により、周面部分の周面がカバーの縁部に係合する押込み部分を有しているならば特に簡単に結合される。
【０００９】
カバーは、押込み部分が個別の舌片を有していて、この舌片が、Ｕ字形の切り込み部によって周面に形成され、この切り込み部によって制限された材料を、カバーの縁部に押し込むことにより形成されているならば、特に正確に、補正の際に決められた位置で周面部分に結合される。
【００１０】
しかしながら選択的には、押込み部が、球冠状の湾曲部によって形成されていて、周面部分の周面の湾曲部と、縁部の湾曲部とが互いに係合していてもよい。
【００１１】
本発明によれば、種々異なる構成が可能である。本発明の基本原理をさらに詳しく説明するために、次に図面につき詳しく説明する。
【００１２】
図１に示した圧力制御装置は、１つの圧力媒体入口２と複数の圧力媒体出口３，３´とを備えたケーシング１を有している。圧力媒体入口２の上方には閉鎖部材４が配置されていて、該閉鎖部材４は所定の圧力以下でこの圧力媒体入口２を遮断している。
【００１３】
閉鎖部材４はダイアフラム５によって保持されていて、このダイアフラム５は圧力室６を上方に向かって閉鎖している。この閉鎖部材４は弁ばね７によって閉鎖方向で正確に規定された力によってプレロードをかけられている。弁ばね７自体は、ケーシング１に結合されたばねポット８内に配置されている。ばねポット８は周面部分９とカバー１０とから成っている。カバー１０は、上方に向かって向けられた、周面部分９の内周面１５に接触する縁部１１を有している。この縁部は、周面部分の全周にわたって分配された複数の押込み部１２，１３によって周面部分９の内周面１５に結合されている。さらにカバー１０が内側の端面１４を有しており、この端面に弁ばね７が当接する。
【００１４】
図２及び図３には、押込み部１２，１３がそれぞれ１つの舌片１６を有していることが示されている。舌片１６は周面部分９からカバー１０の縁部１１に係合している。このために周面部分９はそれぞれ１つのＵ字形切り込み部１７を有しており、これは図３に示されている。舌片１６の押込みは、切り込み部１７も形成する同じ工具によって行われる。このような工具は舌片１６とともに同時に、縁部１１の対応する舌片１８も内部に押し込む。
【００１５】
【図面の簡単な説明】
【図１】  本発明による圧力制御装置の縦断面図である。
【図２】  圧力制御装置の周面部分とカバーとの間の結合領域を拡大して示した縦断面図である。
【図３】  図２の領域の側方図である。
【図１】
0004653382.tif 000002
【図２】
0004653382.tif 000003
【図３】
0004653382.tif 000004
(57)【特許請求の範囲】
【請求項１】
折り畳み洋傘用柄又はリーチャー用柄と、前記折り畳み洋傘用柄の端部又は前記リーチャー用柄の端部に設けられた粘着GELと、を備え、前記粘着GELは半球状又は円弧状に形成されており、
床面に落下した対象物を拾い上げるために前記粘着GELを前記対象物に押し付けたとき、前記粘着GELは、密着部が拡大する方向に弾性変形して密着面積が増大するように構成されていることを特徴とする柄構造。
【請求項２】
前記粘着GELを開放自在に覆うための蓋を更に備え、前記蓋には、摩擦係数の大きな素材から形成された突起部が設けられていることを特徴とする請求項１に記載の柄構造。
【請求項３】
前記折り畳み洋傘用柄又は前記リーチャー用柄に取り付けられたストラップを更に備え、前記ストラップは、前記蓋に設けられたフランジ部を貫通してリング状に形成され、前記蓋が開放されると、前記ストラップによって前記蓋と前記折り畳み洋傘用柄又は前記リーチャー用柄とが連結されることを特徴とする請求項２に記載の柄構造。
【発明の詳細な説明】
【技術分野】
【０００１】
本発明は、床面に落とした物を拾い上げるリーチャーに於いて、先端の爪の間隔を縮めて拾い上げるには、困難な紙幣やプラスチィックカードや切符や入場券などの小さな紙片やコインのような小さくて摘みにくいものを粘着GELで接着して拾い上げようとするものである。
【背景技術】
【０００２】
現在のところ、リーチャーの拾い上げる機構として採用された粘着GELは、いずれもシート状のものであり、拾い上げようとする物に対して垂直に力を加えないと、密着性が悪くなるので、リーチャーの軸に対して、GELの面が垂直からある範囲内で自由に首を振る構造としなければならない。
【発明の開示】
【発明が解決しようとする課題】
【０００３】
従来のリーチャーの先端に備えたシート状GEL部の場合、GEL面の角度を、拾い上げる対象の物に合わせるのが、やや困難である（図１参照）。
【０００４】
粘着GELの粘着性を長く維持するためには、使用しない状態のとき、粘着GEL表面に人の躰や外気が直接触れないように、蓋で覆う構造とする必要があるが、その場合この蓋にリーチャーのもう一つの重要な機能を持たせたい。即ち、身体障害者にとって、手が届きにくいエレベーターの釦や、部屋の電灯の壁面スイッチの押し操作である。しかし、手元と操作部とが離れているため、滑って操作しにくいという問題があった。
【０００５】
手指の運動機能に障害を有する者にとって、直ぐにストラップの輪が閉じてしまい、ストラップの輪の中に指を通すのが、しばしば困難となっている。
【課題を解決するための手段】
【０００６】
上記課題を解決するために、第１の手段として粘着GELの形状を平面的シート状から半球状に変更する（図２参照）。こうすれば、どの角度から狙っても、拾おうとしている物の上で押し付けると、粘着GELは密着面積を拡げる方向に変形し、容易に対象物（紙幣、キャッシュカード、メンバーカード等のプラスチィックカード類、あるいは鉄道切符、バスの切符、入場券等の小型紙片等）を拾い上げる。粘着GELシート状の場合は、円弧状の弾性基材の上にこの粘着GELシートを張り合わせる構造とすれば（図３、図４参照）、どの角度から狙っても、拾おうとする物の上で押し付けると、密着面積を拡げる方向に弾性基材と粘着GELシートは変形し、容易に対象物を拾い上げることができる。
【０００７】
第２手段として、粘着GELを覆う剛性のあるカバー（＝蓋）を設けて、使用しない場合に、粘着GELが人の躰や外気に直接触れない構造とするが、蓋の素材として摩擦係数の大きい、例えばSBR（合成ゴム）等を採用し、略中央部に一体的に突起部を設けるか（図５参照）、または剛性のある蓋の略中央部に、摩擦係数の大きい、例えばSBR製の突起部を一体的ないしは組立式で構成すれば（図６参照）、このリーチャーの反対側を持って、押し釦を押したとき、滑らずに確実に操作できる。
【０００８】
第３手段として、蓋のフランジ部の孔にストラップを貫通させることによって、蓋開放時には、折り畳み洋傘用柄又はリーチャー用柄に固定したストラップに蓋が連結されて、蓋の散逸を防止すると同時に、ストラップの輪を少なくとも蓋のフランジの高さだけは常に拡げるので、手指の運動機能に障害があっても容易に指をストラップに通すことができる（図５参照）。
【発明の効果】
【０００９】
本発明によって、身体に障害を持たれた方々にとって従来大変困難であった、落下した切符、入場券、紙幣やプラスティックカードあるいは小さなコインなども容易に拾い上げることが可能になった。また本発明を応用したリーチャーでは、手元から離れたエレベーターの釦や壁面の電灯スイッチを確実に操作できる。更にストラップの取り付け方に工夫を加え手指の運動機能に障害がある方でも、容易にストラップの輪の中に指を通すことができるようになった。
【発明を実施するための最良の形態】
【００１０】
以下、本発明を折り畳み洋傘用柄に応用した形態について説明する。
折り畳み洋傘に元々取り付けている柄取付ボルト１に合致する雌ネジ部２を持ったリーチャーアタッチメント３は、その天部に半球状の粘着GEL部４（粘着GELを構成する）を有し、その外周部にピッタリかん合する蓋５があり、蓋５の材質は摩擦係数の大きいSBR等で作られており、大略中央部には釦等を押しやすい突起部６が形成されている。折り畳み洋傘用柄に取り付けられたストラップ７は、蓋５のフランジ部８を貫通して取り付けられているので、いつでもストラップ７の輪が閉じることはなく、常に指が入る空間を形成しているので、手指の運動機能に障害がある人でも容易に指を通すことができる。傘を開かずに中軸９のみを伸ばせば、折りたたんだ傘の部分を持つとリーチャーに変身する。
【図面の簡単な説明】
【００１１】
【図１】従来のリーチャーに備えたシート状GELの形態を示す概略断面図
【図２】本発明の粘着GELにおける形態を示す概略断面図
【図３】図１のシート状GELの改良形態を示す概略斜視図
【図４】図３の概略断面図
【図５】本発明の好ましい実施形態による蓋部を説明する概略断面図
【図６】図５のさらに別の実施形態による蓋部の概略断面図
【符号の説明】
【００１２】
１  柄取付ボルト
２  雌ねじ部
３  リーチャーアタッチメント
４  粘着GEL部
4a  シート状GEL
５  蓋
６  突起部
７  ストラップ
８  フランジ部
９  中軸    
【図１】
0004653474.tif 000002
【図２】
0004653474.tif 000003
【図３】
0004653474.tif 000004
【図４】
0004653474.tif 000005
【図５】
0004653474.tif 000006
【図６】
0004653474.tif 000007
(57)【特許請求の範囲】
【請求項１】
マイクロホンに接続される入力端子と、負荷抵抗を介して外部電源端子に接続される出力端子と、接地に接続される接地端子と、前記入力端子に入力する信号を増幅する増幅回路と、該増幅回路の出力信号を入力して前記出力端子を駆動するドライブ回路とを備えたマイク増幅器において、
内部電源端子を設け、該内部電源端子と前記接地との間にキャパシタを接続し、前記内部電源端子を前記増幅回路の電源端子に接続すると共に、前記内部電源端子と前記出力端子との間に限流回路とダイオードの直列回路を接続し、
前記負荷抵抗に流れる前記ドライブ回路の出力電流が前記限流回路とダイオードで検波されてから前記キャパシタで積分され、該キャパシタで得られた電圧が前記増幅回路の電源電圧となるようにしたことを特徴とするマイク増幅器。
【請求項２】
請求項１に記載のマイク増幅器において、  前記ダイオードはそのアノードが前記出力端子側となるように接続されていることを特徴とするマイク増幅器。
【発明の詳細な説明】
【技術分野】
【０００１】  本発明は、マイクロホンの出力信号を入力して増幅するマイク増幅器に関するものである。
【背景技術】
【０００２】  従来のマイク増幅器１０Ａの構成を図３に示す（類似の技術として例えば、特許文献１，非特許文献１参照）。このマイク増幅器１０Ａは、マイクロホン１に接続される入力端子１１と、負荷抵抗２を介して外部電源電圧ＶＤＤの外部電源端子３に接続される出力端子１２と、接地に接続される接地端子１３と、入力端子１１に入力する信号を増幅する増幅回路１４と、その増幅回路１４の出力信号を入力して出力端子１２を駆動するドライブ回路１５とを備える。【０００３】  このマイク増幅器１０Ａでは、マイクロホン１から入力する信号が増幅されて駆動回路１５のドレイン電流が変化し、これが負荷抵抗２に流れることにより、出力端子１２の電圧Ｖoutが変化する。【特許文献１】特開昭５７−０６９９１２号公報
【非特許文献１】米国特許第６，１６０，４５０号明細書
【発明の開示】
【発明が解決しようとする課題】
【０００４】  ところが、図３のマイク増幅器１０Ａは、出力端子１２の電圧Voutがそのまま増幅回路１４の電源電圧Vampとしてその増幅回路１４の電源端子に印加されるため、その出力端子１２の出力電圧Ｖoutによって増幅回路１４の電源電圧Vampが変動する。したがって、出力端子１２の出力電圧Ｖoutが増幅回路１４の最低動作電圧Ｖmoよりも低くなる（Vmo＞Vout）ような駆動を行わせることができず、出力電圧Voutを接地電位ＧＮＤから外部電源電圧ＶＤＤまでの電圧範囲で目一杯効率よくスイングさせることができないという問題があった。図４はこれを説明するための波形図である。【０００５】  本発明の目的は、出力電圧を接地電位から外部電源電圧までの電圧範囲で目一杯効率よくスイングさせることができるようにしたマイク増幅器を提供することである。
【課題を解決するための手段】
【０００６】
上記目的を達成するために、請求項１にかかる発明は、マイクロホンに接続される入力端子と、負荷抵抗を介して外部電源端子に接続される出力端子と、接地に接続される接地端子と、前記入力端子に入力する信号を増幅する増幅回路と、該増幅回路の出力信号を入力して前記出力端子を駆動するドライブ回路とを備えたマイク増幅器において、内部電源端子を設け、該内部電源端子と前記接地との間にキャパシタを接続し、前記内部電源端子を前記増幅回路の電源端子に接続すると共に、前記内部電源端子と前記出力端子との間に限流回路とダイオードの直列回路を接続し、前記負荷抵抗に流れる前記ドライブ回路の出力電流が前記限流回路とダイオードで検波されてから前記キャパシタで積分され、該キャパシタで得られた電圧が前記増幅回路の電源電圧となるようにしたことを特徴とする。
請求項２にかかる発明は、請求項１に記載のマイク増幅器において、前記ダイオードはそのアノードが前記出力端子側となるように接続されていることを特徴とする。
【発明の効果】
【０００７】  本発明によれば、正の振幅時あるいは無信号時にキャパシタに蓄積された電荷により増幅回路に電源電圧が供給されるため、その増幅回路の電源電圧を必要な電圧に保持させることができ、このため出力端子をその増幅回路の最低動作電圧Ｖmoより低い電圧にまで振らせることができる。すなわち、出力電圧を接地電位ＧＮＤから外部電源電圧ＶＤＤまでの電圧範囲で目一杯効率よくスイングさせることができる。
【発明を実施するための最良の形態】
【０００８】  図１は本発明の実施例のマイク増幅器１０の構成を示すブロック図である。このマイク増幅器１０は、マイクロホン１に接続される入力端子１１と、負荷抵抗２を介して外部電源電圧ＶＤＤの外部電源端子３に接続される出力端子１２と、接地に接続される接地端子１３と、入力端子１１に入力する信号を増幅する増幅回路１４と、その増幅回路１４の出力信号を入力して出力端子１２を駆動するドライブ回路１５と、ダイオード１６と限流回路１７の直列回路と、キャパシタ４を介して接地に接続される内部電源端子１８とを備える。この内部電源端子１８は増幅回路１４の電源端子とダイオード１６のカソードに接続される。【０００９】  本実施例では、ダイオード１６と限流回路１７が検波回路として機能し、キャパシタ４が積分回路として機能して、キャパシタ４の電圧よりも出力端子１２の出力電圧Ｖoutが高いときのみ、つまり正の振幅時あるいは無信号時に電荷がキャパシタ４に蓄積される。そして、このキャパシタ４に蓄積された電圧は増幅回路１４の電源電圧Vampとして供給される。【００１０】  以上から、増幅回路１４の電源電圧Ｖampは出力電圧Ｖoutから独立して安定化するので、その出力電圧Ｖoutはその増幅回路１４の最低動作電圧Ｖmoを考慮することなく、図２に示すように、接地電位ＧＮＤから外部電源端子３に印加される外部電源電圧ＶＤＤまでの電圧範囲で目一杯効率高くフルスイングさせることができる。
【図面の簡単な説明】
【００１１】
【図１】本発明の実施例のマイク増幅器のブロック図である。
【図２】図１のマイク増幅器の動作波形図である。
【図３】従来のマイク増幅器のブロック図である。
【図４】図３のマイク増幅器の動作波形図である。
【符号の説明】
【００１２】  １０，１０Ａ：マイク増幅器、１１：入力端子、１２：出力端子、１３：接地端子、１４：増幅回路、１５：ドライバ回路、１６：ダイオード、１７：限流回路、１８：内部電源端子  １：マイクロホン、２：負荷抵抗、３：外部電源端子、４：キャパシタ
【図１】
0004741356.tif 000002
【図２】
0004741356.tif 000003
【図３】
0004741356.tif 000004
【図４】
0004741356.tif 000005
(57)【特許請求の範囲】
【請求項１】
上部が開口する内部容器、外部容器と保持部材で構成され、その内部容器の形状は
上端外周が板状であり外部容器内側の直径より広いつばを形成し、内部容器の受け
皿には独立した柔軟な保持部材を設け、また、内部容器は分離部に形成した孔に
根が通ることで左右に分離されるものであることを特徴とする水栽培容器。
【発明の詳細な説明】
【技術分野】
【０００１】
本発明は、水栽培容器に関するものである。
【背景技術】
【０００２】
従来の水栽培容器は、ガラス容器やプラスチック容器があり共に一体型の容器が多く存在している。その中でも、球根保持部を設けた水栽培容器がある（例えば特開２００１−７８６００号公報参照）。また、容器内部に栽培部を設ける栽培容器としては、栽培部の下に複雑に伸びる球根の根が放置されたままのものがある（例えば特開平８−９８０８号公報参照）。さらに、保持具としては、球根を保持具の上に置くだけのものがある（例えば特開２０００−２７９０４３参照）。
【特許文献１】特開２００１−７８６００号公報
【特許文献２】特開平８−９８０８号公報
【特許文献３】特開２０００−２７９０４３号公報
【発明の開示】
【発明が解決しようとする課題】
【０００３】
上記に示したように水栽培容器では球根保持部を設けた容器や、栽培部、保持具を有する容器があった。しかし、球根の管理をする上で溶液交換や根、容器の清掃をするときや、球根の根を容器から出し入れするときに、複雑に成長した根を切断し傷つけてしまうことがあり容易なことではなかった。また、成長すると球根の葉や花が大きくなるので転倒し易くなり、容器中に育った根を切断し傷つけてしまい、将来的に球根を枯らせてしまうことがあった。本発明が解決しようとする課題は、溶液交換や、根、容器の清掃時に起こる球根の複雑に成長した根を切断し傷つけないようにし、容易に容器から出し入れができ、また、球根が成長する時の不安定な動きによる傾きや転倒を防ぐことで球根の根を傷つけないようにできる水栽培容器を提供することである。
【課題を解決するための手段】
【０００４】  そこで本発明は、水栽培において、上部が開口する内部容器、外部容器と保持部材で構成され、その内部容器の形状は上端外周が板状であり外部容器内側の直径より広いつばを形成し、受け皿には独立した柔軟な保持部材を設け、また、左右分離部には孔を開け、根が孔から出る程度の力で結合し全体が左右に分離することを可能にしたことを特徴とするものである。
【発明の効果】
【０００５】
本発明の水栽培容器によれば、溶液の交換や、根、容器の清掃時に起こる、球根の複雑に成長した根を切断し傷つけないように予防ができ、容易に容器からの出し入れができる。
また、球根が成長する時の不安定な動きや、転倒を抑制できる独立した保持部材を有するものでは、球根が成長し、葉を出し、花を咲かせても抑制度の高い固定ができ根を切断し傷つけないように予防ができる。
【発明を実施するための最良の形態】
【０００６】  本発明の実施の１例をもとに図面を参照しながら以下詳細に説明する。本発明は基本的に外部容器１とその内部に挿入される内部容器３で構成されるが、球根の安定をなす為に図１に示すような球根の保持部材７を備えてもよい。【０００７】
外部容器１は上部が開口する容器であり、その内部に内部容器３を挿入できる広さをもち、開口部両端には容器全体を持てるようにした外部容器１の折り返し部２が設けられている。
【０００８】  内部容器３の形状は上部が開口し上端外周が板状であり外部容器内側の直径より広いつば部５を形成し、内部容器３を出し入れするときに持つことができる構造である。また、内側のつば部６は球根の保持部材７が内部容器３から浮き上がらせないように防止する構造とし、外部容器１の中に挿入されている。【０００９】  保持部材７は内部容器３の受け皿４に設置され、独立して構成される。保持部材７の直径は、内部容器つば部６の内側の直径より大きく、厚さは約２ｍｍあり、保持部材７を内部容器３の受け皿４に設置するには、保持部材７を変形させながら挿入させる。【００１０】  内部容器３の右側の説明図である図２は、左右分離部に孔を有し分離結合可能な構造を持ち、内部容器３を分離するときは、受け皿４部分を持ち左右に引っ張ることで容易に分離ができ、結合するときは互いに組合せ、根が孔から出る程度の力で結合するものである。【００１１】  また、内部容器３の溶液を出し入れする機能を持った６個の孔８を設け、上下するだけでも内部容器３の溶液交換や根、容器の洗浄が容易にでき、根腐れや球根本体が腐敗しないように空気も出入りする。さらに、球根の根が孔８から出た場合、孔が分離部にあるため、内部容器３を分離して根の損傷を予防し外部容器１の中に入れ込むことができる。本発明実施の１例では、孔８の大きさは直径で約２ｍｍあり分離結合部に存在し、大きさ、形状、個数、場所などは限定されるものではなく、溶液は、水、栄養剤に限定されるものではない。【００１２】
そして、外部容器１と内部容器３の材質はスチロール樹脂を使用し容器内部がよく見えるように透明にしたものである。保持部材７の材質には柔軟性のあるポリエチレン樹脂を使用する。また、材質に顔料を入れる場合、色は限定されるものではない。
【００１３】
外部容器１、内部容器３、球根の保持部材７の順に組み合わさり図３の如く水栽培容器を成す。
【００１４】
上記のような水栽培容器の受け皿４に球根を置き栽培した全体の様子を図４に示す。外部容器１、内部容器３は共に透明であることにより外から中を見ることができ、球根の根が伸びる様子を観賞することができる。この場合外周どこからでも見える構成にする。また、内部容器３の根が張れる容器の形状は四角、三角、円形、ハート形などのように一つに限定する物ではない構造とする。
【図面の簡単な説明】
【００１５】
【図１】本発明の１例を示す断面図
【図２】内部容器右側の説明図
【図３】本発明実施の１例形態を示す分解斜視図
【図４】本発明の１例形態を示す全体図
【符号の説明】
【００１６】
１  外部容器
２  外部容器１の折り返し部
３  内部容器
４  受け皿
５  外側のつば部
６  内側のつば部
７  保持部材
８  孔
【図１】
0004778304.tif 000002
【図２】
0004778304.tif 000003
【図３】
0004778304.tif 000004
【図４】
0004778304.tif 000005
(57)【特許請求の範囲】
【請求項１】
バインダーと該バインダーに綴じられており慶弔に関する贈答商品が掲載されている  リファイルと,前記慶弔に関する贈答商品が掲載されているリファイルのデータを含む  慶弔に関する全贈答商品のデータを記録しているUSBメモリーを備えているバインダー  型贈答商品カタログ帳であって、前記バインダーは、前記USBメモリーを収容する一ま  たは二以上の収容部を備えており、前記リファイルは、顧客の要求に応じた価格帯の贈  答商品群リストを、前記USBメモリーに記録されている全贈答商品のデータの中から選  択して印刷したものであることを特徴とする、バインダー型贈答商品カタログ帳。
【発明の詳細な説明】
【技術分野】
【０００１】
本発明は、USBメモリにカタログの全商品を記録させ、一部を印刷してカタログにしたバインダー型贈答商品カタログ帳に関するものである。
【背景技術】
【０００２】
慶弔の贈り物として、従来は商品の現物を贈っていた。近年は現物商品お変わりに」ギフト用カタログを送りその中から商品を選んでもらうようになっている。このギフトカタログは全商品が掲載されている製本化されたものである。
【発明の概要】
【発明が解決しようとする課題】
【０００３】
しかし贈られた側は好みでない商品であったり、既に家にあるものが多かったのでせっかく送られた贈り物も有難みがなく、捨てられることなどもある。また、従来のギフトカタログは、厚くかさばり、邪魔になる。また掲載されている商品が多すぎて選択するのが面倒であり、そのまま放置される場合もある。
【課題を解決するための手段】
【０００４】
本発明は、上記課題を解決するもの、バインダーと、該バインダーに綴られており慶弔に関する贈答商品が掲載されているリファイルと、慶弔に関する全贈答商品のデータを記録しており、コンピュータで読取可能なUSBメモリを備えているバインダー型贈答商品カタログ帳であって、前記バインダーは、前記USBメモリを収容する一または二以上の収容部を備えており、前記USBメモリには、前記バインダーの収容部に収容されており、前記リファイルは、顧客の要求に応じた価格帯の贈答商品リストを前記USBメモリに記録されている全贈答商品のデータの中から選択して印刷したものであることを特徴とするバインダー型贈答商品カタログ帳。
【発明の効果】
【０００５】
本発明は、リファイルを綴じるのにバインダーを使用しているので、バインダー型贈答商品カタログ帳送られた側は、商品選択後通常のバインダーとして再利用できる。
【０００６】
リファイルは、顧客の要求に応じた価格帯の贈答商品群リストを、USBメモリーに記録されている全贈答商品のデータの中から選択して印刷したものであるから,商品選択後の廃棄物は少なく済む。
【０００７】
商品リストを選択してリファイルしているのでバインダー型贈答商品カタログ帳送られた側は商品を選択するのも簡単であり、購入に繋がる。  
【０００８】
USBメモリには慶弔に関する贈答商品が掲載されているリファイルのデータを含む慶弔に関する全贈答商品のデータを記録しているので、必要に応じて全商品を見ることが出来る。
【図面の簡単な説明】
【０００９】
【図１】本発明のバインダー型贈答商品カタログ帳の図
【図２】同バインダー型贈答商品カタログ帳の分離図
【図３】同USBメモリーカタログの実施形態を示す図
【発明を実施するための形態】
【００１０】
バインダー１と、該バインダーに綴じられており慶弔に関する贈答商品が掲載されているリファイル２と、慶弔に関する全贈答商品のデータを記憶しているUSBメモリ7を備えているバインダー型贈答商品カタログ帳である。      
【００１１】
前記バインダー１は、前記USBメモリ7を収容する一または二以上の収容部を備えており、前記USBメモリ7は、前記バインダー１及び該バインダーの収容部に収容されている。
【００１２】
前記リファイル２は、価格帯の贈答商品リストを前記USBメモリ7に記録されており、贈答商品群から選択厳選（３０〜50点）して印刷したものである。
【００１３】
前記バインダー１は開閉自在のリング式にすると、欠品商品が出た場合など差し替え作業が簡単で使いやすい。
【００１４】
前期USBメモリ7には、要求に応じた価格帯に贈答商品群を記録させたものであり、コンピュータで贈答商品群を閲覧した後は、前記USBメモリ7の贈答商品群データを消去することにより、再利用可能となる。前記USBメモリ7は２GB~４GBが好ましい。
【符号の説明】
【００１５】
１    バインダー本体
２    プラスチックボードリファイル本体
３    プラスチックボード留め
５    贈答商品印刷本体
９    USBメモリー本体
１１  商品群データ
【要約】      （修正有）【課題】全商品が掲載されていても厚くかさばったり、商品が多すぎても面倒なく選択することができるギフトカタログを提供する。【解決手段】バインダーと、該バインダーに綴じられ慶弔に関する贈答商品が掲載されているリファイルと、慶弔に関する全贈答商品のデータ１１を記録しているUSBメモリーを備えているバインダー型贈答商品カタログ帳であって、前記バインダーは、前記USBメモリーを収容する一または二以上の収容部を備えており、前記USBメモリーは、前記バインダーの収容部に収容されており、前記リファイルは、顧客の要求に応じた価格帯の贈答商品リストを前記USBメモリーに記録されている贈答商品群から厳選して印刷したバインダー型贈答商品カタログ帳。【選択図】図３【図１】
0004778103.tif 000002
【図２】
0004778103.tif 000003
【図３】
0004778103.tif 000004
(57)【特許請求の範囲】
【請求項１】
筒状に巻回されたコイルとスイッチとブレーカーを直列に接続し、上記スイッチを閉路してから、上記ブレーカーが遮断するまでの期間中のみ、上記コイルに電流を流し、上記期間に流れる電流により着磁を行うことを特徴とする簡易着磁装置。
【請求項２】
コイルは多重巻きされたコイルである請求項１に記載の簡易着磁装置。
【請求項３】
コイルが有底筒状のボビンに装着されている請求項１に記載の簡易着磁装置。
【発明の詳細な説明】
【技術分野】
【０００１】
本発明は、被着磁体を着磁できる簡易着磁装置に関するものである。
【背景技術】
【０００２】
従来、例えば鋼鉄を着磁するには、コンデンサー式着磁器が一般的である。この装置では、商用電源を用いてコンデンサー内部に充電し、着磁ヨークに瞬間的に大電流をコンデンサーから供給することで着磁できるが、高額で大掛かりな装置であり、被着磁体を安易に着磁することはできず、その機材を完備しているところでなければ、着磁できない。
【発明の概要】
【発明が解決しようとする課題】
【０００３】
そこで本発明は、上記従来の問題点を解決し、高額で大掛かりな電源装置を使用しなくても家庭用電源で簡単に着磁できる、簡易着磁装置を提供することを課題としている。
【課題を解決するための手段】
【０００４】
上記課題を解決するために、本発明はつぎのような構成を採用した。すなわち、筒状に巻回されたコイルとスイッチとブレーカーを直列に接続し、スイッチを閉路することで、ケーブルが過熱することなく、筒状コイル内に配置した被着磁体を、着磁できるようにした。
【発明の効果】
【０００５】
本発明に係る簡易着磁装置は、スイッチを閉路することで、筒状コイルに大きな電流を流し、筒状コイル内に磁界を発生させ、過電流を感知するブレーカーの働きで電気回路を遮断するようにした為、家庭用電源を損傷させることなく、筒状コイル内の被着磁体を着磁できる。
【図面の簡単な説明】
【０００６】
【図１】本発明の簡易着磁装置を例示する外観図である。
【図２】その一部断面図である。
【図３】その一部断面使用図である。
【発明を実施するための形態】
【０００７】
図１において、１は筒状に４重に巻回されたコイルで、ブレーカー３の2次側にスイッチ２と直列に接続されている。４は電源プラグである。筒状コイル１は図２に示すように有底筒状のボビン１aに巻回されている。
【０００８】
図３に示すように、ボビン１a内に被着磁体、例えば鋼鉄の棒５を配置してスイッチ２を閉路することで、筒状コイル１に大きな電流を流し、筒状コイル１内に磁界が発生し、鋼鉄の棒５が着磁され、過電流を感知するブレーカー３の働きで、電気回路を遮断して、過電流による加熱損傷から守る。具体的には、ボビンの内径が２５ｍｍ、長さが１６０mmで、４重巻きした筒状コイルに、太さ１０ｍｍ長さ１５０ｍｍの鋼鉄製の六角レンチを配置して着磁した場合、重さ３グラムのクリップを、６８個吸着できる強力な磁石になった。又、鉄製の壁面に、六角レンチが張り付いた状態を、保持することもできるようになった。
【０００９】
筒状コイル１は、直径1.6mmの銅製の単線でも良いし、同程度の許容電流をもったより線を使用してもよい。しかしながら、より線の場合は、同許容電流の単線と比べて断面積が大きくなるために、同巻き数でも体積が大きくなることがある。軽量かつ小型化するためにも直径1.6mm程度の銅製の単線を使用することが望ましい。又巻き数は、４重巻きを超えてもよい。但し、巻きつけた線間が離れれば離れるほど、着磁する力は弱まるので、隙間無く巻きつけることが望ましい。又、４重巻きを超えても着磁される効果は４重巻きとほとんど変わらないため、筒状コイル１は4重巻きが望ましい。
【００１０】
スイッチ２は、１１０V１０A程度の容量か、それを超える片切スイッチなどの手動復帰スイッチを使用しても、筒状コイル１内の被着磁体を着磁することは可能だが、スイッチ２が閉路状態の時にブレーカー３を手動で復帰させる誤操作があった場合、ブレーカー３が過電流により破損又は、電源配線を破壊してしまう恐れがあるため、手動操作自動復帰a接点型の押しボタンスイッチであることが望ましい。尚、110V１０A程度の容量を超えた許容電流を持つ、手動操作自動復帰a接点型の押しボタンスイッチを使用してもよい。しかしながら、なるべく軽量で小型化されたもののほうが持ち運びにかさばらないので、１１０V１０A程度の容量を持つスイッチ２が望ましい。
【００１１】
ブレーカー３は、筒状コイル１に大きな電流を流し、過電流に反応して電気回路を遮断し加熱損傷から守る部品であるが、動作電流が１０Ａ未満のブレーカーを用いた場合、筒状コイル１に流れる電流が十分ではなく、着磁できにくい要素がある。又、動作電流が１０Ａを超えるブレーカーを使用した場合は、１０A程度の容量をもったブレーカーと、ほぼ同等の磁力をもったものに着磁できるが、電流が大きすぎるため、連続して十数回使用するとブレーカーそのものが破損してしまうことが多く望ましくない。又、上記記載のブレーカーをヒューズに変更しても同様であるが、１回の使用ごとにヒューズを交換しなければいけないため、手間がかかり不経済であることが多い。ブレーカー３の電気容量は１０A程度が望ましく、破損することなく連続使用で着磁することが可能である。
【００１２】
電源プラグ４として、１５Ａを超えるものを使用してもよいが、１５A程度の許容電流を有するものであれば、ブレーカー3が電気回路を遮断するまでの大きな電流でも損傷することなく安価で望ましい。
【産業上の利用可能性】
【００１３】
本発明に係る簡易着磁装置は、電気の分野で、筒状コイル、スイッチ、ブレーカー、電源プラグで作成することが可能で、被着磁体を、家庭用電源を用いて着磁でき、特別な電源装置を必要とせず、安価で簡素化したものである。
【符号の説明】
【００１４】
１    筒状コイル                    
２    スイッチ
３    ブレーカー                
４    電源プラグ                      
５    鋼鉄の棒        
【要約】
【課題】本発明は、高額で大掛かりな装置であり、被着磁体を安易に着磁することはできず、その機材を完備しているところでなければ、着磁できない従来の問題点を解決し、高額で大掛かりな電源装置を使用しなくても家庭用電源で簡単に着磁できる、簡易着磁装置を提供することを課題としている。
【解決手段】
課題を解決するために、本発明はつぎのような構成を採用した。すなわち、筒状に巻回されたコイルとスイッチとブレーカーを直列に接続し、スイッチを閉路することで、ケーブルが過熱することなく、筒状コイル内に配置した被着磁体を、着磁できるようにした。
【選択図】図１【図１】
0004756287.tif 000002
【図２】
0004756287.tif 000003
【図３】
0004756287.tif 000004
(57)【特許請求の範囲】
【請求項１】
溶融合成樹脂線条が相互に絡み合って融着した立体三次元網状パイプよりなるアスファルト排水性舗装の排水材において、その施工時における伸び縮みのない曲げやすく、かつ寸法安定性のある排水材を得るため、その網状パイプを構成する溶融合成樹脂線条が絡み合って立体三次元網状構造を形成している過程で、この溶融樹脂線条の１．５倍から５倍の太さの２本の直線状溶融条を、三次元網状構造の断面中心に対し互いに対向する位置に添加溶着する事により、立体三次元網状構造を補強する２本の直線線条を互いに対向する位置に持つ合成樹脂立体網状排水材。
【発明の詳細な説明】
【発明の詳細な説明】
【技術の分野】
【０００１】  本発明は溶融合成樹脂線条が相互に絡み合って融着した立体三次元網状パイプよりなるアスファルト透水性舗装における排水材に関する。
【背景技術】
【０００２】  アスファルト等で舗装された路面は降雨の際に路面の滞水は通行の障害であり、また自動車等の通行により飛散して他に被害を及ぼす等の問題がある。
単粒砕石とアスファルトを溶融混合して舗装し、雨水を横断方向に設けられた勾配により路側の側溝方向に舗装材の空隙を流れ、この雨水は路側の舗装アスファルト内に設置した配水管にて集水して所定の間隔に設置された集水桝で排除するものである。【０００３】  この種の配水管としては金属螺旋状管、プラスチック穴あき管、編みこみ管、プラスチック線条立体網状溶着管等があり、それぞれには長所短所等がありプラスチック線条の立体網状溶着管に於いては施工時に強く引張ると伸びて破断するとか、また小さく曲げると折れて破断する等の問題があった。（特開２００５−１０５７９６）
【発明が解決しようとする課題】
【０００４】  特開２００５−１０５７９６等における排水材は施工の際の引張りにより伸びたり破断したりすることと、小さい角度に曲げると折れて破断する等の問題があった。すなわちスプリングのような長所と短所を併せ持つものであった。
【課題を解決するための手段】
この伸びと縮みをなくし、かつ施工時の路面等の不陸、凹凸にも対応できるよう製造時にその左右に直線状の溶融条を成型時に添加して一体成型した排水材にて課題を解決するものである。
【発明実施の形態】
【０００５】  以下図面を用いて本発明の実施形態を説明する。
本発明排水材８の製造においては、立体三次元網状パイプの溶融合成樹脂線条２は溶融押出しダイス１のノズルより、押出す速度は早くして引取り速度を遅く引取ることによりとぐろ状に集積される。一方、添加する直線状溶融条７は遅い速度で添加一体化され、冷却固化して成型される。したがってこの網状パイプの骨として添加される溶融線条とこれ等を引取り冷却固化する速度の３条件を変えることにより、多様な伸び縮みのない寸法安定性にすぐれ、かつ施工時に曲げられる合成樹脂立体網状排水材８を得る。
【図面の簡単な説明】
【０００６】
【図１】本発明排水材の製造工程の一例の説明図である。
【０００７】
【図２】本発明排水材の一例の正面図である。
【０００８】
【図３】本発明排水材の一使用例の正面図である。
【符号の説明】    １  溶融押出しダイス
２  溶融合成樹脂線条
３  内径を規制する棒
４  冷却水
５  外径規制管
６  引取りロール
７  添加溶融線条
８  合成樹脂立体網状排水材
９  曲げた状態の合成樹脂立体網状排水材
【図１】
0004756266.tif 000002
【図２】
0004756266.tif 000003
【図３】
0004756266.tif 000004
(57)【特許請求の範囲】
【請求項１】
単セルを複数積層して成るセルスタックの内部を貫通して反応ガス又は冷却水を供給又は排出する流体通路を備えた燃料電池スタックであって、前記流体通路は前記セルスタックの両端に配置された一対のターミナルプレートのうちマイナス側のターミナルプレートのみ貫通して入口ポート又は出口ポートに連通している、燃料電池スタック。
【請求項２】
請求項１に記載の燃料電池スタックであって、前記一対のターミナルプレートのうちプラス側のターミナルプレートと前記セルスタックとの間に水分透過を遮断する遮断プレートが介挿されている、燃料電池スタック。
【発明の詳細な説明】
【技術分野】
【０００１】
本発明は燃料電池スタックに関し、特に、ターミナルプレートの耐腐食性向上と低コスト化を両立するための改良技術に関する。
【背景技術】
【０００２】
固体高分子型燃料電池スタックは固体高分子電解質膜の両面にそれぞれアノード極とカソード極を対向配置し、更にその外側を一対のセパレータで挟持してなる単セルを所定数積層したスタック構造を成しており、スタック両端部には電力取り出し用の一対のターミナルプレートが配置されている。プラス側のターミナルプレートには酸化電流が流れるため、ターミナルプレートに加湿ガス又は冷却水が触れるとターミナルプレートは腐食する虞がある。ターミナルプレートの耐腐食性を高めるためのスタック構造として、従来から各種のスタック構造が研究されており、例えば、特開２００３−１６３０２６号公報にはターミナルプレートの冷却水路内側にエンドプレートの材料である樹脂が嵌合してインサートする構成をとることにより加湿ガスや冷却水がターミナルプレートに直接触れないように構成したスタック構造が提案されている。
【特許文献１】特開２００３−１６３０２６号公報
【発明の開示】
【発明が解決しようとする課題】
【０００３】
しかし、特開２００３−１６３０２６号公報に記載のスタック構造では、プラス側とマイナス側の両方のターミナルプレートを冷却水通路が貫通する構成となっているため、両方のターミナルプレートに腐食対策を講じなければならず、製造コストが高くなる。
【０００４】
そこで、本発明は燃料電池スタックのターミナルプレートの耐腐食性向上と低コスト化を図ることを課題とする。
【課題を解決するための手段】
【０００５】
上記の課題を解決するため、本発明の燃料電池スタックは、単セルを複数積層して成るセルスタックの内部を貫通して反応ガス又は冷却水を供給又は排出する流体通路を備えた燃料電池スタックであって、流体通路はセルスタックの両端に配置された一対のターミナルプレートのうちマイナス側のターミナルプレートのみ貫通して入口ポート又は出口ポートに連通している。プラス側のターミナルプレートには酸化電流が流れるため、流体通路を流れる冷却水又は反応ガスの水分がプラス側のターミナルプレートに触れないように構成することで、ターミナルプレートの耐腐食性を向上できる。また、還元電流が流れるマイナス側のターミナルプレートよりも酸化電流が流れるプラス側のターミナルプレートの腐食対策をより強化することにより、両極に腐食対策を講じるよりも低コストである。
【０００６】
ここで、一対のターミナルプレートのうちプラス側のターミナルプレートとセルスタックとの間に水分透過を遮断する遮断プレートを介挿するのが望ましい。還元電流が流れるマイナス側のターミナルプレートよりも酸化電流が流れるプラス側のターミナルプレートへの水分接触をより重点的に抑制することで、耐腐食性向上と低コスト化を両立できる。
【発明の効果】
【０００７】
本発明によれば流体通路を流れる冷却水又は反応ガスの水分がプラス側のターミナルプレートに接しないように構成することで、ターミナルプレートの耐腐食性向上と低コスト化を実現できる。
【発明を実施するための最良の形態】
【０００８】
図１は本実施形態の燃料電池スタックの説明図である。同図（ａ）に示すように、燃料電池スタック１０は、電解質膜を一対の電極で挟持し、更にその外側を一対の導電性セパレータで挟持してなる単セル２０を複数積層してなるセルスタック２１を備えている。セルスタック２１の内部には単セル２０に反応ガス（燃料ガス、酸化ガス）又は冷却水を供給する流体供給通路７１と、単セル２０の電池反応に供した反応ガス又は単セル２０との間で熱交換を行った冷却水を排出する流体排出通路７２が貫設されている。セルスタック２１の両端部には電力取り出し用の一対のターミナルプレート３１，３２が配置されている。ターミナルプレート３１，３２の外側は絶縁プレート４１，４２を介して一対のエンドプレート５１，５２によって挟装されている。燃料電池スタック１０のマイナス側のエンドプレート５１には、流体供給通路７１の入口ポート７１ａと、流体排出通路７２の出口ポート７２ａが形成されている。
【０００９】
尚、反応ガス供給通路及び冷却水供給通路と、反応ガス排出通路及び冷却水排出通路はそれぞれ異なる流体通路であるが、説明の便宜上、前者を流体供給通路７１と総称し、後者を流体排出通路７２と総称する。また、流体供給通路７１と流体排出通路７２を区別する必要がない場合には単に流体通路７１，７２と総称する。
【００１０】
流体通路７１，７２は一対のターミナルプレート３１，３２のうちマイナス側のターミナルプレート３１のみ貫通して入口ポート７１ａ及び出口ポート７２ａに連通しており、プラス側のターミナルプレート３２には流体通路７１，７２の入口ポート及び出口ポートは形成されていない。かかる構成により、流体通路７１，７２を流れる冷却水、又は電池反応等で生じた反応ガス中の水分がプラス側のターミナルプレート３２に触れるのを防止できる。ターミナルプレート３２への水分の接触をより効果的に抑制するには、ターミナルプレート３２とセルスタック２１との間に水分透過を遮断する遮断プレート６０を介挿するのが望ましい。遮断プレート６０としては、セルスタック２１とターミナルプレート３２とを電気的に接続することができ、且つ水分透過を遮断できるプレートであれば、特に限定されるものではなく、例えば、導電プレート等が好適である。
【００１１】
同図（ｂ）に示すように、マイナス側のターミナルプレート３１とその付近の単セル２０には還元電流が局所的に流れるのに対して、プラス側のターミナルプレート３２とその付近の単セル２０には酸化電流が局所的に流れる。酸化電流が多く流れるプラス側のターミナルプレート３２に水分が触れると腐食が進行し易くなるため、ターミナルプレート３１，３２の腐食対策としては、主として、プラス側に重点をおく必要がある。上述の構成によれば、燃料電池スタック１０の両極（プラス側、マイナス側）をそれぞれ同程度に腐食対策を講じるのではなく、より腐食し易いプラス側の腐食対策に重点をおくことで、ターミナルプレートの耐腐食性向上と低コスト化を両立できる。
【図面の簡単な説明】
【００１２】
【図１】本実施形態の燃料電池スタックの説明図である。
【符号の説明】
【００１３】
１０…燃料電池スタック  ２０…単セル  ２１…セルスタック  ３１，３２…ターミナルプレート  ４１，４２…絶縁プレート  ５１，５２…エンドプレート  ６０…遮断プレート  ７１，７２…流体通路
【図１】
0004614120.tif 000002